(57)【特許請求の範囲】
【請求項１】
式（Ｉ）
【化１】
0006695853.tif 000021
の少なくとも１つの油を含み、式中、
・Ｒが直鎖状又は分枝状のＣ1〜Ｃ30アルキル基を示し、
・ｍが２．５に等しい平均数を示し、ｎが２に等しい平均数を示すか、又は
・ｍが３．５に等しい平均数を示し、ｎが２．８に等しい平均数を示す、潤滑組成物。
【請求項２】
Ｒが、直鎖状Ｃ8アルキル基、分枝状Ｃ8アルキル基、直鎖状Ｃ9アルキル基、分枝状Ｃ9アルキル基、直鎖状Ｃ10アルキル基、分枝状Ｃ10アルキル基、直鎖状Ｃ11アルキル基、分枝状Ｃ11アルキル基、直鎖状Ｃ12アルキル基、分枝状Ｃ12アルキル基、直鎖状Ｃ13アルキル基、分枝状Ｃ13アルキル基、直鎖状Ｃ14アルキル基、分枝状Ｃ14アルキル基、直鎖状Ｃ15アルキル基、分枝状Ｃ15アルキル基の中から選択される基を示す、請求項１に記載の潤滑組成物。
【請求項３】
（ａ）ＡＳＴＭ  Ｄ４４５標準に従って測定した１００℃での動粘度が２．５〜４．５ｍｍ2・ｓ-1の範囲であるか、又は
（ｂ）粘度指数が１６０超であるか若しくは１６０〜２１０に含まれるか、又は
（ｃ）流動点が−４０℃未満であるか、又は
（ｄ）ＡＳＴＭ  Ｄ５２９３標準に従って測定した−３５℃での絶対粘度（ＣＣＳ）が１２００ｍＰａ・ｓ未満である
式（Ｉ）の少なくとも１つの油を含む、請求項１又は２に記載の潤滑組成物。
【請求項４】
（ａ）ＡＳＴＭ  Ｄ４４５標準に従って測定した１００℃での動粘度が２．５〜４．５ｍｍ2・ｓ-1の範囲であり、
（ｂ）粘度指数が１６０超である若しくは１６０〜２１０に含まれ、
（ｃ）流動点が−４０℃未満であり、
（ｄ）ＡＳＴＭ  Ｄ５２９３標準に従って測定した−３５℃での絶対粘度（ＣＣＳ）が１２００ｍＰａ・ｓ未満である
式（Ｉ）の少なくとも１つの油を含む、請求項１〜３のいずれか１項に記載の潤滑組成物。
【請求項５】
ｍが２．５に等しい平均数を示し、ｎが２に等しい平均数を示し、
（ａ）ＡＳＴＭ  Ｄ４４５標準に従って測定した１００℃での動粘度が２．５〜３．５ｍｍ2・ｓ-1の範囲であり、
（ｂ）粘度指数が１６０〜１８０に含まれ、
（ｃ）流動点が−４０℃未満であり、
（ｄ）ＡＳＴＭ  Ｄ５２９３標準に従って測定した−３５℃での絶対粘度（ＣＣＳ）が５００ｍＰａ・ｓ未満である
式（Ｉ）の少なくとも１つの油を含む、請求項１〜４のいずれか１項に記載の潤滑組成物。
【請求項６】
ｍが３．５に等しい平均数を示し、ｎが２．８に等しい平均数を示し、
（ａ）ＡＳＴＭ  Ｄ４４５標準に従って測定した１００℃での動粘度が３．５〜４．５ｍｍ2・ｓ-1の範囲であり、
（ｂ）粘度指数が１８０〜２１０に含まれ、
（ｃ）流動点が−５０℃未満であり、
（ｄ）ＡＳＴＭ  Ｄ５２９３標準に従って測定した−３５℃での絶対粘度（ＣＣＳ）が１２００ｍＰａ・ｓ未満である
式（Ｉ）の少なくとも１つの油を含む、請求項１〜４のいずれか１項に記載の潤滑組成物。
【請求項７】
２〜６０ｗｔ％の式（Ｉ）の少なくとも１つの油を含む、請求項１〜６のいずれか１項に記載の潤滑組成物。
【請求項８】
５〜４０ｗｔ％の式（Ｉ）の少なくとも１つの油を含む、請求項５又は７に記載の潤滑組成物。
【請求項９】
５〜３５ｗｔ％の式（Ｉ）の少なくとも１つの油を含む、請求項６又は７に記載の潤滑組成物。
【請求項１０】
・グループＩＩＩの油、グループＩＶの油及びグループＶの油から選択される少なくとも１つの他の基油、又は
・少なくとも１つの添加剤、又は
・グループＩＩＩの油、グループＩＶの油及びグループＶの油から選択される少なくとも１つの他の基油並びに少なくとも１つの添加剤
をまた含む、請求項１〜９のいずれか１項に記載の潤滑組成物。
【請求項１１】
請求項１〜１０のいずれか１項に記載の少なくとも１つの潤滑組成物であって、
・エンジンの燃料消費を減らすため、又は
・この組成物によって潤滑された変速機を備えた車両の燃料消費を減らすための、潤滑組成物の使用。
【請求項１２】
変速機油のトラクション係数を減らすための、請求項１〜１０のいずれか１項に記載の少なくとも１つの潤滑組成物の使用。
【発明の詳細な説明】
【技術分野】
【０００１】
本発明は、電動車両用の潤滑組成物及び基油の分野に関する。本発明は、エンジン、ギアボックス又は車両ブリッジ用の潤滑組成物を提供する。この潤滑組成物は、特定のポリアルキルグリコール又は特定のポリアルキレン−グリコール（ＰＡＧ）である油中で可溶なポリマーを含む。
【０００２】
本発明はまた、この組成物又はこの特定のＰＡＧによって潤滑されたエンジンを備えた車両、ブリッジ、又はギアボックスの燃料の消費を減らすための、この潤滑組成物の使用に関する。
【背景技術】
【０００３】
エンジンの発展とエンジン用の潤滑組成物の性能の発展とは、どういうわけか関連している。エンジンがより複雑な設計を有するほど、生産量及び消費の最適化がより高くなり、エンジン用の潤滑組成物は需要が多くなり、その性能を改善すべきである。
【０００４】
エンジン内の極めて高い圧縮、より高いピストン温度、特に上側ピストン部分の領域においては、メンテナンス不要な油圧（液圧）プッシャーを持つ最新の弁制御、並びにエンジン空間内の極めて高い温度は、最新エンジン用の潤滑剤をますます要請する。
【０００５】
ガソリンエンジン及びディーゼルエンジンの使用の条件は、極めて短い対象ルート及び長尺路の両方を含む。実際に、西欧では車の経路の８０％は１２キロメートル未満であるのに対して、車両は１年で３０００００ｋｍまでの範囲の距離に及ぶ。
【０００６】
油交換の間隔はまた、大きく変化するものであり、幾つかの小さいディーゼルエンジンについては５０００ｋｍから、最新の多用車（ユーティリティビークル）のディーゼルエンジンに関しては１０００００ｋｍまでの範囲であることがある。
【０００７】
したがって、電動車両用の潤滑組成物は改善した性質及び性能を有さなければならない。
【０００８】
したがって、エンジン用の潤滑組成物は、時々両立しない多くの目標を達成すべきである。これらの目標はエンジン用の潤滑組成物の５つの主要な機能から生じ、それらは、潤滑、冷却、無漏洩、耐食保護、及び圧力伝達である。
【０００９】
互いにスライドする部品の潤滑は、特に、燃料節約を可能とする、特に、摩擦及び摩耗を減らすために、決まった役割を果たす。
【００１０】
エンジン用の潤滑組成物の別の重要な要請は、環境に関連する側面に関する。実際に、特に、ＣＯ2排出を減らす目的と共に、油消費並びに燃料消費を減らすことが重要になっている。例えば、油を配合することによって、燃焼ガスの排出を減らして、触媒がその寿命全体の間で完全に機能しているままであることがまた重要である。例えば、再処理によって又は燃焼によって、それらの除去を減らす又は制限するために、毒性の添加剤の使用を制限又は防止することがまた重要である。
【００１１】
自動車用エンジン用の潤滑組成物の性質は、汚染物質の排出及び燃料消費に影響を与える。自動車用エンジン用の潤滑組成物は、時々「燃料節約（ｆｕｅｌ−ｅｃｏ）」（ＦＥ）と称されるエネルギー節約を可能とする。そのような「燃料節約」の油は、これらの新規のニーズを満たすために発展した。
【００１２】
したがって、エネルギー損失を減らすことは自動車用の潤滑剤の分野における継続的な研究である。
【００１３】
それらについて、ギアボックス用又はブリッジ用の油、より一般的にはギア用の油は、多くの要請、特に、乗り心地（完全なギアチェンジ、静かな運転、問題のない運転、優れた信頼性）、組立体の寿命（低温条件下での運転中の摩耗の低減、堆積物がないこと及び優れた熱安定性、高温での給脂安全性、安定な粘度状況及びせん断損失、長寿命）、並びに環境的側面（より低い燃料消費、油消費の低減、低い騒音発生、簡単な排出）を考慮することの要請に関する。
【００１４】
これらは、手動制御下のギアボックス用及びアクセルギア用の油に課された要請である。自動ギアボックスの油（ＡＴＦ（自動車変速機流体用）油）に課された要請に関しては、それらの使用のため、高温エンジン及び低温エンジンで完璧な運転を保証するため、並びに、膨張しない、収縮しない、及び脆くならないように、変速機ガスケットで使用される異なるエラストマーへの十分なシール相溶性を保証するために、極めて特別な要求がＡＴＦ油に対して現れ、その要求とは、最適なギアチェンジに対する全体の滞留時間（ｄｗｅｌｌｉｎｇ  ｔｉｍｅ）の間での摩擦係数の優れた不変性、長い油交換間隔の時間経過（エージング）に対する優れた安定性、良好な粘度−温度強度である。
【００１５】
さらに、自動車の分野においては、ＣＯ2排出の低減を求めることは、ギアボックス及びブリッジの差動での摩擦を減らす可能性を与える製品の発展を強いる。ギアボックス及びブリッジの差動でのこの摩擦低減は、異なる運転条件に対して得られなければならない。摩擦低減は、潤滑剤の内部の摩擦だけでなく、ギアボックス又はブリッジの差動で作られた部材、特に、金属部材の摩擦にも関連すべきである。
【００１６】
車両の変速機油としては、精製した石油製品、水素化分解油又は合成流体を使用することが可能であり、これらはポリアルファオレフィンか又はエステルである。幾つかの場合では、ポリグリコールがまた使用され、それは、一般的に、他のベース流体と混和しない又はあまり混和しない欠点を有する。
【００１７】
十分な性能を得るために、車両変速機油はまた、質的要求に応じた添加剤、特に、高圧用の添加剤で完成されなければならない。
【００１８】
車両エンジンの潤滑剤のための使用に関しては、添加剤がまた使用される。
【００１９】
摩擦係数を改質する添加剤としては、例えば、モリブデン、特に硫化モリブデンを含む有機金属化合物が最近使用される。モリブデンの過半の源として、モリブデンジチオカルバメート（ＭｏＤＴＣ）を言及することができる。さらに、潤滑組成物中の粘度指数を改善する異なるポリマー又はコポリマーがまた公知である。
【００２０】
国際公開第２０１３−１６４４４９号では、酸化ブチレンと酸化プロピレンとのコポリマー化から生じたＰＡＧタイプの油を開示する。この油は、１００〜１２０の程度の粘度指数を有する。
【００２１】
米国特許出願公開第２０１４−０１８２７３号明細書では、モル質量が高い又はアルキルエーテル基を含むメチル化ＰＡＧ油を開示する。
【００２２】
代替的な基油、特に、高い粘度指数（ＶＩ）及び低いトラクション係数を有する油を提供することが必要である。
【００２３】
求められる潤滑組成物は、摩擦が理由での低温条件下におけるエネルギー損失を避けるためだけでなく、高温条件下において、潤滑された部材上で潤滑剤の十分な膜を維持するためにも、高い粘度指数を有するべきである。
【００２４】
したがって、高い粘度指数は、温度が上昇した場合、より少ない粘度低下を保証する。
【００２５】
公知の方法においては、車両エンジン用の潤滑組成物として、合成流体、例えば、ポリアルファオレフィン（ＰＡＯ）油、エステル及びポリグリコール、非従来型鉱油、例えば、水素化分解生成物、従来型鉱油、並びに、それらの異なる混合物が使用される。
【００２６】
したがって、車両エンジン用の潤滑組成物のような、高いＶＩを持ち、低いトラクション係数を持つベースの分野においては、例えば、約１０％のエステルの質量割合を持つ、ＰＡＯ油とエステルとの混合物、ＰＡＯ油と水素化分解及び水素異性化した油（グループＩＩＩ又はＧｐＩＩＩ）との混合物、又は添加剤若しくは追加の基油ＧＴＬ（例えば、フィッシャー・トロプシュ法によって天然液化ガスから得られた油又はガス液化油）を含むＰＡＯ油と水素化分解及び水素異性化した油との混合物、が慣例的に使用される。
【００２７】
さらに、技術水準のＰＡＧの使用中に溶解性の問題に直面することがしばしばある。したがって、技術水準のＰＡＧｓの使用は、一般的に、幾つかの用途、例えば、産業油であり、エンジン用又は車両変速機用でない用途に限定される。
【発明の概要】
【発明が解決しようとする課題】
【００２８】
したがって、技術水準の油又は潤滑組成物の問題の全て又は一部に対する解決策を提供する可能性を与える、エンジン用又は車両変速機用の油及び潤滑組成物を提供するためのニーズが存在する。
【課題を解決するための手段】
【００２９】
したがって、本発明は、式（Ｉ）
【化１】
0006695853.tif 000002
の少なくとも１つの油を含む潤滑組成物を提供し、式中、
・Ｒが直鎖状又は分枝状Ｃ1〜Ｃ30アルキル基を示し、
・ｍ及びｎが、独立して、１〜５の範囲の平均数を示す。
【００３０】
好ましくは、本発明に係る潤滑組成物は、式（Ｉ）の少なくとも１つの油を含み、式中、Ｒが、直鎖状Ｃ8アルキル基、分枝状Ｃ8アルキル基、直鎖状Ｃ9アルキル基、分枝状Ｃ9アルキル基、直鎖状Ｃ10アルキル基、分枝状Ｃ10アルキル基、直鎖状Ｃ11アルキル基、分枝状Ｃ11アルキル基、直鎖状Ｃ12アルキル基、分枝状Ｃ12アルキル基、直鎖状Ｃ13アルキル基、分枝状Ｃ13アルキル基、直鎖状Ｃ14アルキル基、分枝状Ｃ14アルキル基、直鎖状Ｃ15アルキル基、分枝状Ｃ15アルキル基を示す。
【００３１】
より好ましくは、本発明に係る潤滑組成物は、式（Ｉ）の少なくとも１つの油を含み、式中、Ｒが分枝状Ｃ8アルキル基又は直鎖状Ｃ12アルキル基を示す。
【００３２】
さらにより好ましくは、本発明に係る潤滑組成物は、式（Ｉ）の少なくとも１つの油を含み、式中、Ｒが直鎖状Ｃ12アルキル基を示す。
【００３３】
また好ましくは、本発明に係る潤滑組成物は、式（Ｉ）の少なくとも１つの油を含み、式中、
・ｍがｎ以上であるか、又は
・ｍが２〜４．５の範囲の平均数を示すか、又は
・ｎが１．５〜４の範囲の平均数を示す。
【００３４】
本発明係る好ましい潤滑組成物の例として、式（Ｉ）の少なくとも１つの油を含み、式中、
・ｍが２．５〜３．５の範囲の平均数を示すか、又は
・ｎが２〜３の範囲の平均数を示す、
潤滑組成物を言及することができる。
【００３５】
本発明係るより好ましい潤滑組成物の例として、式（Ｉ）の少なくとも１つの油を含み、式中、
・ｍが２．５に等しい平均数を示し、ｎが２に等しい平均数を示すか、又は
・ｍが３．５に等しい平均数を示し、ｎが２．８に等しい平均数を示す、
潤滑組成物を言及することができる。
【００３６】
本発明係る好ましい潤滑組成物の別の例として、式（Ｉ）の少なくとも１つの油を含み、式中、
・Ｒが分枝状Ｃ8アルキル基を示し、ｍが２〜４．５の範囲の平均数を示し、ｎが１．５〜４の範囲の平均数を示すか、又は
・Ｒが分枝状Ｃ8アルキル基を示し、ｍが２．５〜３．５の範囲の平均数を示し、ｎが２〜３の範囲の平均数を示す、
潤滑組成物を言及することができる。
【００３７】
本発明係るより好ましい潤滑組成物の別の例として、式（Ｉ）の少なくとも１つの油を含み、式中、
・Ｒが直鎖状Ｃ12アルキル基を示し、ｍが２〜４．５の範囲の平均数を示し、ｎが１．５〜４の範囲の平均数を示すか、又は
・Ｒが直鎖状Ｃ12アルキル基を示し、ｍが２．５〜３．５の範囲の平均数を示し、ｎが２〜３の範囲の平均数を示す、
潤滑組成物を言及することができる。
【００３８】
本発明係るまた好ましい潤滑組成物の例として、式（Ｉ）の少なくとも１つの油を含み、式中、
・Ｒが分枝状Ｃ8アルキル基を示し、ｍが２．５に等しい平均数を示し、ｎが２に等しい平均数を示すか、又は
・Ｒが分枝状Ｃ8アルキル基を示し、ｍが３．５に等しい平均数を示し、ｎが２．８に等しい平均数を示す、
潤滑組成物を言及することができる。
【００３９】
本発明係る最も好ましい潤滑組成物の例として、式（Ｉ）の少なくとも１つの油を含み、式中、
・Ｒが直鎖状Ｃ12アルキル基を示し、ｍが２．５に等しい平均数を示し、ｎが２に等しい平均数を示すか、又は
・Ｒが直鎖状Ｃ12アルキル基を示し、ｍが３．５に等しい平均数を示し、ｎが２．８に等しい平均数を示す、
潤滑組成物を言及することができる。
【００４０】
好ましくは、本発明に係る潤滑組成物は、式（Ｉ）の少なくとも１つの油を含み、
（ａ）ＡＳＴＭ  Ｄ４４５標準に従って測定した１００℃での動粘度が２．５〜４．５ｍｍ2・ｓ-1の範囲であるか、又は
（ｂ）粘度指数が１６０超であるか若しくは１６０〜２１０に含まれるか、又は
（ｃ）流動点が−４０℃未満であるか、又は
（ｄ）ＡＳＴＭ  Ｄ５２９３標準に従って測定した−３５℃での絶対粘度（粘度）（ＣＣＳ）が１２００ｍＰａ・ｓ未満である。
【００４１】
一般的に、本発明によれば、粘度指数はＡＳＴＭ  Ｄ２２７０標準に従って計算され、流動点はＥＮ  ＩＳＯ３０１６標準に従って測定される。
【００４２】
より好ましくは、本発明に係る潤滑組成物は、式（Ｉ）の少なくとも１つの油を含み、
（ａ）ＡＳＴＭ  Ｄ４４５標準に従って測定した１００℃での動粘度が２．５〜４．５ｍｍ2・ｓ-1の範囲であり、
（ｂ）粘度指数が１６０超であるか又は１６０〜２１０に含まれ、
（ｃ）流動点が−４０℃未満であり、
（ｄ）ＡＳＴＭ  Ｄ５２９３標準に従って測定した−３５℃での絶対粘度（ＣＣＳ）が１２００ｍＰａ・ｓ未満である。
【００４３】
より好ましくは、本発明に係る潤滑組成物は、式（Ｉ）の少なくとも１つの油を含み、式中、ｍが２．５に等しい平均数を示し、ｎが２に等しい平均数を示し、
（ａ）ＡＳＴＭ  Ｄ４４５標準に従って測定した１００℃での動粘度が２．５〜３．５ｍｍ2・ｓ-1の範囲であるか、又は
（ｂ）粘度指数が１６０〜１８０に含まれるか、又は
（ｃ）流動点が−４０℃未満であるか、又は
（ｄ）ＡＳＴＭ  Ｄ５２９３標準に従って測定した−３５℃での絶対粘度（ＣＣＳ）が５００ｍＰａ・ｓ未満である。
【００４４】
またより好ましくは、本発明に係る潤滑組成物は、式（Ｉ）の少なくとも１つの油を含み、式中、ｍが２．５に等しい平均数を示し、ｎが２に等しい平均数を示し、
（ａ）ＡＳＴＭ  Ｄ４４５標準に従って測定した１００℃での動粘度が２．５〜３．５ｍｍ2・ｓ-1の範囲であり、
（ｂ）粘度指数が１６０〜１８０に含まれ、
（ｃ）流動点が−４０℃未満であり、
（ｄ）ＡＳＴＭ  Ｄ５２９３標準に従って測定した−３５℃での絶対粘度（ＣＣＳ）が５００ｍＰａ・ｓ未満である。
【００４５】
またより好ましくは、本発明に係る潤滑組成物は、式（Ｉ）の少なくとも１つの油を含み、式中、ｍが３．５に等しい平均数を示し、ｎが２．８に等しい平均数を示し、
（ａ）ＡＳＴＭ  Ｄ４４５標準に従って測定した１００℃での動粘度が３．５〜４．５ｍｍ2・ｓ-1の範囲であるか、又は
（ｂ）粘度指数が１８０〜２１０に含まれるか、又は
（ｃ）流動点が−５０℃未満であるか、又は
（ｄ）ＡＳＴＭ  Ｄ５２９３標準に従って測定した−３５℃での絶対粘度（ＣＣＳ）が１２００ｍＰａ・ｓ未満である。
【００４６】
またより好ましくは、本発明に係る潤滑組成物は、式（Ｉ）の少なくとも１つの油を含み、式中、ｍが３．５に等しい平均数を示し、ｎが２．８に等しい平均数を示し、
（ａ）ＡＳＴＭ  Ｄ４４５標準に従って測定した１００℃での動粘度が３．５〜４．５ｍｍ2・ｓ-1の範囲であり、
（ｂ）粘度指数が１８０〜２１０に含まれ、
（ｃ）流動点が−５０℃未満であり、
（ｄ）ＡＳＴＭ  Ｄ５２９３標準に従って測定した−３５℃での絶対粘度（ＣＣＳ）が１２００ｍＰａ・ｓ未満である。
【００４７】
有利には、本発明に係る潤滑組成物は、
・２〜６０ｗｔ％の式（Ｉ）の少なくとも１つの油、又は
・２〜５０ｗｔ％の式（Ｉ）の少なくとも１つの油、又は
・５〜４０ｗｔ％の式（Ｉ）の少なくとも１つの油、又は
・５〜３０ｗｔ％の式（Ｉ）の少なくとも１つの油、を含む。
【００４８】
本発明に係る潤滑組成物の好ましい例は、５〜４０ｗｔ％、好ましくは１０〜３５ｗｔ％又は１５〜２５ｗｔ％の式（Ｉ）の少なくとも１つの油を含み、式中、ｍが２．５に等しい平均数を示し、ｎが２に等しい平均数を示し、
・ＡＳＴＭ  Ｄ４４５標準に従って測定した１００℃での動粘度が２．５〜３．５ｍｍ2・ｓ-1で範囲であり、
・粘度指数が１６０〜１８０に含まれ、
・流動点が−４０℃未満であり、
・ＡＳＴＭ  Ｄ５２９３標準に従って測定した−３５℃での絶対粘度（ＣＣＳ）が５００ｍＰａ・ｓ未満である。
【００４９】
本発明に係る潤滑組成物の別の好ましい例は、５〜３５ｗｔ％、好ましくは８〜３０ｗｔ％又は１０ｗｔ％、２０ｗｔ％若しくは３０ｗｔ％の式（Ｉ）の少なくとも１つの油を含み、式中、ｍが３．５に等しい平均数を示し、ｎが２．８に等しい平均数を示し、
（ａ）ＡＳＴＭ  Ｄ４４５標準に従って測定した１００℃での動粘度が３．５〜４．５ｍｍ2・ｓ-1の範囲であり、
（ｂ）粘度指数が１８０〜２１０に含まれ、
（ｃ）流動点が−５０℃未満であり、
（ｄ）ＡＳＴＭ  Ｄ５２９３標準に従って測定した−３５℃での絶対粘度（ＣＣＳ）が１２００ｍＰａ・ｓ未満である。
【００５０】
有利には、本発明に係る潤滑組成物はまた、
・グループＩＩＩの油、グループＩＶの油、及びグループＶの油から選択される少なくとも１つの他の油、又は
・少なくとも１つの添加剤、又は
・グループＩＩＩの油、グループＩＶの油、及びグループＶの油の中から選択される少なくとも１つの他の油並びに少なくとも１つの添加剤、を含む。
【発明を実施するための形態】
【００５１】
一般的に、本発明に係る潤滑組成物は、それらの使用に合わせて、任意の種類の鉱物、合成又は天然、動物性又は植物性の潤滑基油を含むことができる。
【００５２】
本発明に係る潤滑組成物で使用される基油は、ＡＰＩ分類（又はＡＴＩＥＬ分類に従ったそれらの同等物）（表Ａ）で規定された分類に係るグループＩ〜Ｖに属する鉱物若しくは合成起源の油、又はそれらの混合物であることができる。
【００５３】
【表１】
0006695853.tif 000003
【００５４】
本発明に係る鉱物基油は、原油の常圧蒸留及び真空蒸留、その後の精製作業、例えば、溶媒での抽出、脱歴、溶媒での脱ろう、水素化処理、水素化分解、水素異性化及び水素化仕上げによって得られた、全種類のベースを含む。
【００５５】
合成油と鉱油との混合物をまた使用することができる。
【００５６】
一般的に、それらが、有用なエンジン又は車両変速機に適応した性質、特に、粘度、粘度指数、硫黄含有率、酸化強度、を有さなければならないことを除いて、本発明に係る潤滑組成物を製造するための異なる潤滑ベースの使用について、制限は存在しない。
【００５７】
本発明に係る潤滑組成物の基油はまた、合成油、例えば、カルボン酸及びアルコールの幾つかのエステルの中から、並びにポリアルファオレフィンの中から選択することができる。基油として使用されるポリアルファオレフィンは、例えば、４〜３２個の炭素原子を含むモノマーから、例えば、オクテン又はデセンから得られ、ＡＳＴＭ  Ｄ４４５標準に従った１００℃での粘度が、１．５〜１５ｍｍ2・ｓ-1に含まれる。それらの平均分子量は、一般的に、ＡＳＴＭ  Ｄ５２９６標準に従って、２５０〜３０００に含まれる。
【００５８】
有利には、本発明に係る潤滑組成物は、組成物の全体質量に対して、５０ｍａｓｓ％以上の基油を含む。
【００５９】
より有利には、本発明に係る潤滑組成物は、組成物の全体質量に対して、６０ｍａｓｓ％以上、又はさらに７０ｍａｓｓ％以上の基油を含む。
【００６０】
より特別に有利な方法では、本発明に係る潤滑組成物は、組成物の全体質量に対して、７５〜９９．９ｍａｓｓ％の基油を含む。
【００６１】
本発明はまた、本発明に係る少なくとも１つの潤滑組成物と、少なくとも１つの基油と、少なくとも１つの添加剤とを含む電動車両用の潤滑組成物を提供する。
【００６２】
多くの添加剤を、本発明に係るこの潤滑組成物のために使用することができる。
【００６３】
本発明に係る潤滑組成物用の好ましい添加剤は、洗剤添加剤、耐摩耗添加剤、摩擦改質添加剤、極圧添加剤、分散剤、流動点を改善する薬剤、消泡剤、増粘剤及びそれらの混合物の中から選択される。
【００６４】
好ましくは、本発明に係る潤滑組成物は、少なくとも１つの耐摩耗添加剤、少なくとも１つの極圧添加剤又はそれらの混合物を含む。
【００６５】
耐摩耗添加剤及び極圧添加剤は、これらの表面上に吸着した保護膜を形成することによって摩擦表面を保護する。
【００６６】
多くの種類の耐摩耗添加剤が存在する。好ましくは、本発明に係る潤滑組成物のために、耐摩耗添加剤は、アルキルチオリン酸金属、特に、アルキルチオリン酸亜鉛、より具体的にはジアルキルジチオリン酸亜鉛又はＺｎＤＴＰのようなリン−硫黄添加剤の中から選択される。好ましい化合物は、式Ｚｎ（（ＳＰ（Ｓ）（ＯＲ1）（ＯＲ2））2であり、式中、Ｒ1及びＲ2は、同一か又は非同一のいずれかであり、独立してアルキル基、好ましくは１〜１８個の炭素原子を含むアルキル基を示す。
【００６７】
リン酸アミンはまた、本発明に係る潤滑組成物中で使用することができる耐摩耗添加剤である。しかしながら、これらの添加剤によってもたらされるリンは、これらの添加剤が灰を生成するため、自動車の触媒システムに対する毒として作用することがある。リン酸アミンを、リンを提供しない添加剤、例えば、ポリスルフィド、特に、硫黄含有オレフィンと、部分的に置換することでこれらの影響を最小化することが可能である。
【００６８】
有利には、本発明に係る潤滑組成物は、潤滑組成物の全体質量に対して、０．０１〜６ｍａｓｓ％、好ましくは０．０５〜４ｍａｓｓ％、より好ましくは０．１〜２ｍａｓｓ％の耐摩耗添加剤及び極圧添加剤を含むことができる。
【００６９】
有利には、本発明に係る潤滑組成物は、少なくとも１つの摩擦改質添加剤を含むことができる。摩擦改質添加剤は、金属元素を提供する化合物及び灰を含まない化合物の中から選択することができる。金属元素を提供する化合物の中で、遷移金属、例えば、Ｍｏ、Ｓｂ、Ｓｎ、Ｆｅ、Ｃｕ、Ｚｎの複合体を言及することができ、その配位子は、酸素、窒素、硫黄又はリン原子を含む炭化水素化合物であることができる。灰を含まない摩擦改質添加剤は一般的に有機源であり、脂肪酸及びポリオールモノエステル、アルコキシル化アミン、アルコキシル化脂肪族アミン、脂肪族エポキシド、ボレート化脂肪族エポキシド、脂肪族アミン又は脂肪酸のグリセロールエステルの中から選択することができる。本発明によれば、脂肪族化合物は、１０〜２４個の炭素原子を含む少なくとも１つの炭化水素基を含む。
【００７０】
有利には、本発明に係る潤滑組成物は、潤滑組成物の全体質量に対して、０．０１〜２ｍａｓｓ％又は０．０１〜５ｍａｓｓ％、好ましくは０．１〜１．５ｍａｓｓ％又は０．１〜２ｍａｓｓ％の摩擦改質添加剤を含むことができる。
【００７１】
有利には、本発明に係る潤滑組成物は、少なくとも１つの抗酸化添加剤を含むことができる。
【００７２】
抗酸化添加剤は、一般的に、作用する潤滑組成物の劣化を遅らせる可能性を与える。この劣化は、特に、堆積物の形成によって、泥の存在によって、又は潤滑組成物の粘度の増加によって表現することができる。
【００７３】
抗酸化添加剤は、特に、ラジカル防止剤又はヒドロペルオキシドデストラクターとして作用する。現在使用される抗酸化添加剤の中から、フェノールタイプの抗酸化添加剤、アミンタイプの抗酸化添加剤、リン−硫黄含有抗酸化添加剤を言及することができる。幾つかのこれらの抗酸化添加剤、例えば、リン−硫黄含有抗酸化添加剤は灰を生成するものであることがある。フェノール性抗酸化添加剤は、灰がないことがあるか、或いは中性又は塩基性の金属塩の形態であることがある。抗酸化添加剤は、特に、立体障害型フェノール、立体障害型フェノールエステル、及びチオエーテル架橋を含む立体障害型フェノール、ジフェニルアミン、少なくとも１つのＣ1〜Ｃ12アルキル基で置換されたジフェニルアミン、Ｎ，Ｎ’−ジアルキル−アリール−ジアミン、並びにそれらの混合物の中から選択することができる。
【００７４】
好ましくは、本発明によれば、立体障害型フェノールは、フェノール基、少なくとも１つのＣ1〜Ｃ10アルキル基、好ましくはＣ1〜Ｃ6アルキル基、好ましくはＣ4アルキル基、好ましくはｔｅｒ−ブチル基で置換されたアルコール機能を含む炭素に隣接する少なくとも１つの炭素を含む化合物の中から選択される。
【００７５】
アミン化合物は、任意選択でフェノール性抗酸化添加剤と組み合わせて使用することができる別分類の抗酸化添加剤である。アミン化合物の例は、例えば、式ＮＲ1Ｒ2Ｒ3であって、式中、Ｒ1が、任意選択で置換された脂肪族基又は芳香族基を示し、Ｒ2が、任意選択で置換された芳香族基を示し、Ｒ3が、水素原子、アルキル基、アリール基又は式Ｒ4Ｓ（Ｏ）zＲ5の基（式中、Ｒ4がアルキレン基又はアルケニレン基を示し、Ｒ5がアルキル基、アルケニル基又はアリール基を示し、Ｚが０、１又は２を示す）である、芳香族アミンである。
【００７６】
硫化アルキルフェノール又はそれらのアルカリ及びアルカリ土類金属塩をまた、抗酸化添加剤として使用することができる。
【００７７】
抗酸化添加剤の別の分類は、銅含有化合物、例えば、銅チオ−又は銅ジチオ−ホスフェート、銅塩、及びカルボン酸、ジチオカルバメート、スルホネート、フェネート、銅アセチルアセトネートである。
【００７８】
本発明に係る潤滑組成物は、当業者に公知である任意の種類の抗酸化添加剤を含有することができる。
【００７９】
有利には、潤滑組成物は、灰を含まない少なくとも１つの抗酸化添加剤を含む。
【００８０】
また有利には、本発明に係る潤滑組成物は、組成物の全体質量に対して、０．５〜２ｗｔ％の少なくとも１つの抗酸化添加剤を含む。
【００８１】
本発明に係る潤滑組成物はまた、少なくとも１つの洗剤添加剤を含むことができる。
【００８２】
洗剤添加剤は、一般的に、二次酸化及び燃焼の生成物の溶解によって、金属部分の表面で堆積物の形成を減らす可能性を与える。本発明に係る潤滑組成物中で使用される洗剤添加剤は、当業者に一般的に公知である。洗剤添加剤は、長い親油性炭化水素鎖及び親水性の頭部を含むアニオン性化合物であることができる。関連するカチオンはアルカリ又はアルカリ土類金属の金属カチオンであることができる。
【００８３】
洗剤添加剤は、好ましくは、カルボン酸を含むアルカリ金属塩又はアルカリ土類金属塩、スルホネート、サリチレート、ナフテナート、並びにフェネート塩の中から選択される。アルカリ及びアルカリ土類金属は、好ましくは、カルシウム、マグネシウム、ナトリウム又はバリウムである。
【００８４】
これらの金属塩は、一般的に、化学量論量或いは超過、したがって、化学量論量より多い量で金属を含む。次いで、これらは過塩基洗剤添加剤であり、次いで、洗剤添加剤に対して過塩基な性質を提供する過剰な金属は、一般的に、油不溶金属塩、例えば、カルボネート、ヒドロキシド、オキサレート、アセテート、グルタメートの形態であり、好ましくはカルボネートの形態である。
【００８５】
有利には、本発明に係る潤滑組成物は、潤滑組成物の全体質量に対して、２〜４ｗｔ％の洗剤添加剤を含むことができる。
【００８６】
また有利には、本発明に係る潤滑組成物はまた、少なくとも１つの流動点低下添加剤を含むことができる。
【００８７】
パラフィン結晶の形成を遅くすることで、流動点低下添加剤は、一般的に、本発明に係る潤滑組成物の低温挙動を改善する。
【００８８】
流動点低下添加剤の例として、アルキルポリメタクリレート、ポリアクリレート、ポリアリールアミド、ポリアルキルフェノール、ポリアルキルナフタレン、アルキル化ポリスチレンを言及することができる。
【００８９】
有利には、本発明に係る潤滑組成物はまた、少なくとも１つの分散剤を含むことができる。
【００９０】
分散剤は、マンニッヒ塩基、スクシンイミド及びそれらの誘導体から選択することができる。
【００９１】
また有利には、本発明に係る潤滑組成物は、潤滑組成物の全体質量に対して、０．２〜１０ｍａｓｓ％の分散剤を含むことができる。
【００９２】
有利には、潤滑組成物はまた、粘度指数を改善する少なくとも１つの追加のポリマーを含むことができる。この追加のポリマーは、一般的に、ポリアルキレングリコール（ＰＡＧ）の中から選択される油可溶ポリマーとは異なる。
【００９３】
粘度指数を改善する追加のポリマーの例として、ポリマーエステル、水素化又は非水素化のスチレン、ブタジエン、及びイソプレンのホモポリマー又はコポリマー、ポリメタクリレート（ＰＭＡ）を言及することができる。
【００９４】
また有利には、本発明に係る潤滑組成物は、潤滑組成物の全体質量に対して、１〜１５ｍａｓｓ％の、ポリアルキレングリコール（ＰＡＧ）の中から選択される油中で可溶なポリマー及び粘度指数を改善するこの追加のポリマーを含むことができる。
【００９５】
本発明に係る潤滑組成物は、異なる形態で生じることができる。本発明に係る潤滑組成物は、特に、無水組成物であることができる。好ましくは、この潤滑組成物はエマルジョンではない。
【００９６】
本発明はまた、エンジン、特に車両エンジンの燃料消費を減らすための、本発明に係る潤滑組成物の使用に関する。
【００９７】
本発明はまた、車両エンジン用の油のトラクション係数を減らすための、本発明に係る潤滑組成物の使用に関する。
【００９８】
本発明はまた、この組成物によって潤滑されたブリッジ又はギアボックスを備えた車両の燃料消費を減らすための、本発明に係る潤滑組成物の使用に関する。
【００９９】
本発明はまた、この組成物によって潤滑された変速機を備えた車両の燃料消費を減らすための、本発明に係る潤滑組成物の使用に関する。
【０１００】
本発明はまた、変速機油、特にギアボックス油又はブリッジ油のトラクション係数を減らすための、本発明に係る潤滑組成物の使用に関する。
【０１０１】
本発明はまた、潤滑剤の燃料節約（ＦＥ）を改善するための、本発明に係る式（Ｉ）の少なくとも１つの油の使用に関する。
【０１０２】
本発明はまた、エンジン、特に車両エンジンの燃料消費を減らすための、本発明に係る式（Ｉ）の少なくとも１つの油の使用に関する。
【０１０３】
本発明はまた、車両エンジン用の油のトラクション係数を減らすための、本発明に係る式（Ｉ）の少なくとも１つの油の使用に関する。
【０１０４】
本発明はまた、この油によってブリッジ又はギアボックスを備えた車両の燃料消費を減らすための、本発明に係る式（Ｉ）の少なくとも１つの油の使用に関する。
【０１０５】
本発明はまた、この油よって潤滑された変速機を備えた車両の燃料消費を減らすための、本発明に係る式（Ｉ）の少なくとも１つの油の使用に関する。
【０１０６】
本発明はまた、変速機油、特にギアボックス油又はブリッジ油のトラクション係数を減らすための、本発明に係る式（Ｉ）の少なくとも１つの油の使用に関する。
【０１０７】
本発明によれば、式（Ｉ）の油及び潤滑組成物は、車両エンジンを潤滑するために使用することができる。
【０１０８】
本発明に係る潤滑組成物又は式（Ｉ）の油のこれらの使用は、エンジン、変速機、特に、ギアボックス又はブリッジの少なくとも１つの部材を、本発明に係る潤滑組成物又は式（Ｉ）の油と接触させることを含む。
【０１０９】
類推によって、本発明に係る式（Ｉ）の油又は本発明に係る潤滑組成物の特定の、有利な又は好ましい特性は、本発明に係る特定の、有利な又は好ましい使用を規定する。
【０１１０】
本発明はまた、式（Ｉ）
【化２】
0006695853.tif 000004
の少なくとも１つの油から本発明に係る潤滑組成物を調製するための方法に関し、式中、
・Ｒが直鎖状又は分枝状Ｃ1〜Ｃ30アルキル基を示し、
・ｍ及びｎが、独立して、１〜５の範囲の平均数を示す。
【０１１１】
式（Ｉ）の油は、一般的に、アルカリ又はアルカリ土類金属の水酸化物の溶液と混合されて、式Ｒ−ＯＨの開始剤アルコールから調製される。
【０１１２】
開始剤アルコールとして、２−エチルヘキサノール及びドデカノールが好ましい。アルカリ又はアルカリ土類金属の水酸化物として、水酸化カリウムが好ましい。
【０１１３】
不活性雰囲気下で、少なくとも１つの開始剤アルコールと少なくとも１つのアルカリ土類金属水酸化物の混合物を、８０〜１３０℃の範囲であることがある、例えば、約１１５℃である温度に加熱する。
【０１１４】
次に、水の存在を制限するために、例えば、フラッシュ蒸発で媒体中に存在する水を、例えば、０．１ｗｔ％未満の濃度まで除去する。
【０１１５】
次に、１，２−プロピレンオキシドと１，２−ブチレンオキシドとを、９０〜１５０℃の範囲であることがある、例えば、１３０℃の温度で、３５０〜５５０ｋＰａの範囲であることがある圧力で入れる。混合物は、撹拌されて５〜２５時間作用させられる。
【０１１６】
次に、残留触媒が、例えば、ケイ酸マグネシウムを通じて濾過によって分離される。
【０１１７】
式（ＩＩ）
【化３】
0006695853.tif 000005
の中間生成物が得られ、式中、
・Ｒが直鎖状又は分枝状Ｃ1〜Ｃ30アルキル基を示し、
・ｍ及びｎが、独立して、１〜５の範囲の平均数を示す。
【０１１８】
次に、式（ＩＩ）の中間生成物は、アルコール（例えば、メタノール）中で、アルカリ又はアルカリ土類金属のアルコキシド溶液の溶液存在下で、８０〜１４０℃の範囲であることがある温度、例えば、１２０℃の温度と、例えば、１ｋＰａ未満の減圧下において、不活性雰囲気下で反応する。アルカリ又はアルカリ土類金属のアルコキシドとして、ナトリウムメトキシドが好ましい。
【０１１９】
ハロゲン化アルキルを加えて、５０〜１３０℃の範囲であることがある温度、例えば、８０℃の温度で、１２０〜３５０ｋＰａの範囲であることがある圧力、例えば、２６０ｋＰａの圧力で、５〜２５時間作用させる。ハロゲン化アルキルとして、塩化メチルが好ましい。
【０１２０】
混合物は撹拌されて、５０〜１３０℃の範囲であることがある温度、例えば、８０℃の温度で、１５分間〜１５時間、例えば、１．５時間作用させられる。
【０１２１】
次に、形成されたアルキルエーテルと未反応のハロゲン化アルキルを、例えば、フラッシュ蒸発によって分離する。アルカリ又はアルカリ土類金属のハロゲン化物は、例えば、水で洗浄される。
【０１２２】
塩水相を、例えば、デカンテーションで分離する。次に、残留水を、例えば、ケイ酸マグネシウム及びフラッシュ蒸発で分離する。本発明に係る式（Ｉ）の油を得るために、混合物を冷却させて、次いで、例えば、ケイ酸マグネシウムでそれを濾過させることが可能である。
【０１２３】
本発明に係る式（Ｉ）は、本発明に係る潤滑組成物を形成するために、１つ又は複数の他の基油及び１つ又は複数の添加剤を組み込むことができる。
【０１２４】
本発明の異なる態様を、以下の例で例示する。
【実施例】
【０１２５】
例１：本発明に係る式（Ｉ）のＰＡＧ油の調製−油（１）
【化４】
0006695853.tif 000006
平均値：ｍ＝３．５３、ｎ＝２．８４
オートクレーブステンレス鋼反応器中に、ドデカノール（２６４７ｇ）を開始剤として入れて、その後、４５ｍａｓｓ％の水酸化カリウムの溶液（２８．２ｇ）を入れた。混合物を、窒素雰囲気下で１１５℃に加熱した。
【０１２６】
次に、水を、０．１ｗｔ％未満の水濃度まで、フラッシュ蒸発（１１５℃、３ＭＰａ）によって除去した。
【０１２７】
１，２−プロピレンオキシド（２９１０ｇ）と１，２−ブチレンオキシド（２９１０ｇ）との混合物を、１３０℃の温度かつ４９０ｋＰａの圧力で反応器中に入れた。混合物を撹拌して、１３０℃で１４時間反応させた。
【０１２８】
残留触媒を５０℃でケイ酸マグネシウムを通じて濾過することで分離して、ＡＳＴＭ  Ｄ４４５標準で従って測定した４０℃での動粘度が２２．４ｍｍ2・ｓ-1であり、ＡＳＴＭ  ４４５標準に従って測定した１００℃での動粘度が４．７６ｍｍ2・ｓ-1であり、粘度指数が１３７であり、流動点が−４８℃である、中間生成物（Ａ）を得た。
【０１２９】
ステンレス鋼のオートクレーブ反応器中に、生成物（Ａ）（８２６６ｇ）を入れた。メタノール中で２５ｍａｓｓ％のナトリウムメトキシドの溶液（３０６０ｇ）を加えて、１２０℃で１２時間、窒素流（２００ｍＬ／分）で、減圧（１ｋＰａ未満）で撹拌した（１８０回転／分）。
【０１３０】
塩化メチル（７５１ｇ）を、８０℃かつ圧力（２６０ｋＰａ）下で加えた。
【０１３１】
混合物を撹拌して、８０℃で１．５時間反応させた。
【０１３２】
次に、反応しなかったジメチルエーテルと塩化メチルとを分離するために、フラッシュ蒸発（１０分間、８０℃、減圧下）を行った。
【０１３３】
混合物から塩化ナトリウムを洗浄するために、水（２５５５ｇ）を加えて、次いで、８０℃で４０分間撹拌した。撹拌をやめて、混合物を８０℃で１時間、静止状態で放置した。
【０１３４】
塩水相（３２８３ｇ）を、デカンテーションによって分離して、ケイ酸マグネシウム（５０ｇ）を残りの混合物に加えて、フラッシュ蒸発を、残留水を分離するために、窒素流（２００ｍＬ／分）下で、撹拌（１８０回転／分）しながら行った（１時間、１００℃、１ｋＰａ未満の圧力）。
【０１３５】
混合物を６０℃で冷却させて、次いで、油（１）（８３５９ｇ）を分離するために、５０℃でケイ酸マグネシウム上で濾過した。メチル化工程の収率は９８．６ｍａｓｓ％であった。
【０１３６】
この油（１）については、ＡＳＴＭ  Ｄ４４５標準で従って測定した４０℃での動粘度が１４．４ｍｍ2・ｓ-1であり、ＡＳＴＭ  Ｄ４４５標準に従って測定した１００℃での動粘度が３．９８ｍｍ2・ｓ-1であり、ＩＳＯ３０１６標準に従って測定した流動点が−５４℃であった。
【０１３７】
この油の粘度指数は１９４であり、ＡＳＴＭ  Ｄ５２９３標準に従って測定した−３５℃でのその絶対粘度（ＣＣＳ）は１１２０ｍＰａ・ｓであった。
【０１３８】
例２：本発明に係る式（Ｉ）のＰＡＧ油の調製−油（２）
【化５】
0006695853.tif 000007
平均値：ｍ＝２．４５、ｎ＝１．９７
オートクレーブステンレス反応器中に、ドデカノール（２３６９ｇ）を開始剤として入れて、次いで、４５ｍａｓｓ％の水酸化カリウムの溶液（２０．０２ｇ）を入れた。混合物を、窒素雰囲気下で１１５℃に加熱した。フラッシュ蒸発を、水を分離するために混合物で行った（１１５℃、３ＭＰａ）。混合物の水濃度を０．１ｍａｓｓ％未満に下げた。
【０１３９】
１，２−プロピレンオキシド（１８０８．５ｇ）と１，２−ブチレンオキシド（１８０８．５ｇ）との混合物を、１３０℃の温度かつ４９０ｋＰａの圧力で反応器中に入れた。混合物を撹拌して、１３０℃で１４時間反応させた。
【０１４０】
残留触媒を、５０℃でケイ酸マグネシウムを通じて濾過することで分離して、ＡＳＴＭ  Ｄ４４５標準に従って測定した４０℃での動粘度が１６．１ｍｍ2・ｓ-1であり、ＡＳＴＭ  Ｄ４４５標準に従って測定した１００℃での動粘度が３．７ｍｍ2・ｓ-1であり、流動点が−３９℃である、中間生成物（Ｂ）を得た。
【０１４１】
オートクレーブステンレス鋼反応器中に、一部の生成物（Ｂ）（５７９７ｇ）を入れた。メタノール中で２５ｍａｓｓ％のナトリウムメトキシドの溶液（２７６５ｇ）を加えて、１２０℃で１２時間、窒素流（２００ｍＬ／分）で、減圧（１ｋＰａ未満）で撹拌した（１８０回転／分）。
【０１４２】
反応器の混合物の一部（３８２５ｇ）を空にした。
【０１４３】
次に、反応器中に残っていた混合物の残りの部分（２２６４ｇ）に、塩化メチル（２５２ｇ）を、８０℃かつ圧力（２６０ｋＰａ）下で加えた。
【０１４４】
混合物を撹拌して、８０℃で１．５時間作用させた。
【０１４５】
次に、フラッシュ蒸発を、ジメチルエーテルと未反応の塩化メチルとを分離するために行った（１０分間、８０℃、減圧下）。
【０１４６】
混合物の塩化ナトリウムを洗浄するために、水（７９６ｇ）を加えて、次いで、８０℃で４０分間撹拌した。撹拌をやめて、混合物を８０℃で１時間、静止状態で放置した。
【０１４７】
塩水相（９６１ｇ）を、デカンテーションによって分離して、ケイ酸マグネシウム（５０ｇ）を残りの混合物に加えて、フラッシュ蒸発を、窒素流（２００ｍＬ／分）下で、撹拌（１８０回転／分）しながら行った（１時間、１００℃、１ｋＰａ未満の圧力）。
【０１４８】
混合物を６０℃で冷却させて、次いで、油（２）（２２１８ｇ）を分離するために、５０℃でケイ酸マグネシウム上で濾過した。メチル化工程の収率は９３．７ｍａｓｓ％であった。
【０１４９】
この油（２）については、ＡＳＴＭ  Ｄ４４５標準に従って測定した４０℃での動粘度が９．８２７ｍｍ2・ｓ-1であり、ＡＳＴＭ  Ｄ４４５標準に従って測定した１００℃での動粘度が２．９７ｍｍ2・ｓ-1であり、ＩＳＯ３０１６標準に従って測定した流動点が−４８℃であった。
【０１５０】
この油の粘度指数は１７２であり、ＡＳＴＭ  Ｄ５２９３標準に従って測定した−３５℃での絶対粘度（ＣＣＳ）は４５０ｍＰａ・ｓであった。
【０１５１】
比較例３：公知のＰＡＧ油の調製−比較の油（１）
【化６】
0006695853.tif 000008
平均値：ｍ＝１．７６、ｎ＝１．４２
オートクレーブステンレス鋼反応器中に、ドデカノール（４３６４ｇ）を開始剤として入れて、その後、４５ｍａｓｓ％の水酸化カリウムの溶液（３９．６８ｇ）を入れた。混合物を、窒素雰囲気下で１１５℃に加熱した。
【０１５２】
フラッシュ蒸発を、水を分離するために混合物で行った（１１５℃、３ＭＰａ）。混合物の水濃度を０．１ｍａｓｓ％未満に下げた。
【０１５３】
１，２−プロピレンオキシド（２２７６ｇ）と１，２−ブチレンオキシド（２２７６ｇ）とを、１３０℃の温度かつ３７０ｋＰａの圧力で反応器中に入れた。混合物を撹拌して、１３０℃で１２時間作用させた。
【０１５４】
残留触媒を、５０℃でケイ酸マグネシウムを通じて濾過することで分離して、ＡＳＴＭ  Ｄ４４５標準に従って測定した４０℃での動粘度が１２．２ｍｍ2・ｓ-1であり、ＡＳＴＭ  Ｄ４４５標準に従って測定した１００℃での動粘度が３．０ｍｍ2・ｓ-1であり、流動点が−２９℃である、比較の油（１）を得た。
【０１５５】
この油の粘度指数は６０であり、ＡＳＴＭ  Ｄ５２９３標準に従って測定した−３５℃での絶対粘度（ＣＣＳ）は４０９０ｍＰａ・ｓであった。
【０１５６】
比較例４：公知のＰＡＧ油の調製−比較の油（２）
【化７】
0006695853.tif 000009
平均値：ｍ＝２．７９、ｎ＝２．２５
オートクレーブステンレス鋼反応器中に、ドデカノール（３１４１ｇ）を開始剤として入れて、その後、４５ｍａｓｓ％の水酸化カリウムの溶液（３８．４ｇ）を入れた。混合物を、窒素雰囲気下で１１５℃に加熱した。フラッシュ蒸発を、水を分離するために混合物で行った（１１５℃、３ＭＰａ）。混合物の水濃度を０．１ｍａｓｓ％未満に下げた。
【０１５７】
１，２−プロピレンオキシド（２７３５．５ｇ）と１，２−ブチレンオキシド（２７３５．５ｇ）との混合物を、１３０℃の温度かつ３７０ｋＰａの圧力で反応器中に入れた。混合物を撹拌して、１３０℃で１２時間反応させた。
【０１５８】
残留触媒を、５０℃でケイ酸マグネシウムを通じて濾過することで分離して、ＡＳＴＭ  Ｄ４４５標準に従って測定した４０℃での動粘度が１８．０ｍｍ2・ｓ-1であり、ＡＳＴＭ  Ｄ４４５標準に従って測定した１００℃での動粘度が４．０ｍｍ2・ｓ-1であり、流動点が−４１℃である、比較の油（２）を得た。
【０１５９】
この比較の油（２）の粘度指数は１１６であり、ＡＳＴＭ  Ｄ５２９３標準に従って測定した−３５℃での絶対粘度（ＣＣＳ）は３２５０ｍＰａ・ｓであった。
【０１６０】
例５：本発明に係る潤滑組成物、比較の潤滑組成物の調製と、電動車両の変速機の潤滑用のこれらの組成物の性質の評価
表１の量（ｍａｓｓ％）に従って潤滑組成物を調製するために、潤滑組成物を、例２に係る油（２）及び公知の油を、他の基油及び添加剤と混合することで調製した。
【０１６１】
【表２】
0006695853.tif 000010
【０１６２】
調製した潤滑組成物の特性を評価して、得られた結果を表２に示した。
【０１６３】
【表３】
0006695853.tif 000011
【０１６４】
エネルギー収率を、グループＩＩＩの油に基づくギアボックス用の商用油（ＫＶ１００＝７．４６ｍｍ2・ｓ-1、ＫＶ４０＝３３．９７ｍｍ2・ｓ-1、ＶＩ＝１９６）と比較して評価した。評価した組成物とこの商用油の間のエネルギー収率の偏差（ずれ）を測定した。
【０１６５】
したがって、この試験は、出力トルクを入力トルクと比較することで、エネルギー収率を評価する可能性と、使用したギアボックスの収率を測定する可能性とを与えた。
【０１６６】
それによって、適用したギアボックス用の油の燃料節約の性質を評価することができた。
【０１６７】
この試験中に、５つのギアを持つ手動ギアボックスを使用した。油の温度は２０℃及び５０℃であった。それらは、特に、低温条件（２０℃）下で、それらの燃料節約の性質を持つ油を良好に差別化する可能性を与えた。入力トルクを３０Ｎｍに、次いで９０Ｎｍに設定した。入力条件を１０００ｒｐｍに、次いで３０００ｒｐｍに設定した。各油の温度及び各ギア比について、使用条件を表Ｂに示す。
【０１６８】
【表４】
0006695853.tif 000012
【０１６９】
この試験は、ＮＥＤＣ欧州試験をシミュレーションする可能性と、特定の油により潤滑されたギアボックスのＣＯ2排出及び燃料消費を決定する可能性とを与えた。収率値が高いほど、燃料消費の低減が良好になる。
【０１７０】
したがって、技術水準のグループＩＩＩの２つの油を含む潤滑組成物と比較して、本発明に係る油（２）を含む潤滑組成物は改善した性質を有した。
【０１７１】
粘度指数が極めて優れていた。トラクション係数は少なくとも７％に下がった。エネルギー収率はまた大きく改善し、グループＩＩＩの油に基づく商用油に基づく組成物と比較して３倍超の向上を可能とした。したがって、これらのパラメータは、本発明に係る組成物の燃料節約の向上を示す可能性を与えることが確かめられた。
【０１７２】
本発明に係る潤滑組成物はまた、技術水準に係る潤滑組成物と比べて同一レベルか又は大きい酸化耐性を有した。異なるエラストマーへのそれらの相溶性は、それらが接触している変速機ガスケットで使用されることがあり、それはまた、技術水準の潤滑組成物と比べて同一レベルか又は良好であった。
【０１７３】
さらに、本発明に係る組成物は、自動車用の変速機の機械部品の摩耗に対する良好な耐性を可能とした。
【０１７４】
最後に、本発明に係る油（２）の２０％を含む潤滑組成物の性質における改善は、本発明に係る油（２）の３８．４５％を含む潤滑組成物に比べ同程度か又は大きいことが確かめられた。
【０１７５】
例６：本発明に係る潤滑組成物、比較の潤滑組成物の調製と、車両エンジンの潤滑用のこれらの組成物の性質の評価
潤滑組成物を、表３の量（ｍａｓｓ％）に従って潤滑組成物を調製するために、例１に係る油（１）及び公知の油を、他の基油及び添加剤と混合することによって調製した。
【０１７６】
【表５】
0006695853.tif 000013
【０１７７】
調製した潤滑組成物の特性を評価して、得られた結果を表４に示した。
【０１７８】
【表６】
0006695853.tif 000014
【０１７９】
技術水準のグループＩＩＩの２つの油とグループＩＶの油とを含む潤滑組成物と比較して、本発明に係る油（１）を含む潤滑組成物は改善した性質を有した。
【０１８０】
粘度指数が優れるか又は極めて優れ、ノアック揮発性が改善された。したがって、これらのパラメータは、本発明に係る組成物の「燃料節約」の向上を示す可能性を与えた。
【０１８１】
本発明に係る潤滑組成物はまた、技術水準の潤滑組成物より大きい酸化耐性を有した。本発明に係る潤滑組成物の洗浄力は、技術水準の潤滑組成物と比べて同一レベルか又は良好であった。
【０１８２】
本発明に係る潤滑組成物の異なるエラストマーへの相溶性は、それらが接触している変速機ガスケットで使用されることがあり、それはまた、技術水準の潤滑組成物と比べて同一レベルか又は良好であった。
【０１８３】
最後に、本発明に係る油（１）の８％を含む潤滑組成物の性質における改善は、本発明に係る油（１）の２７．７％を含む潤滑組成物に比べ同程度か又は優れていることが確かめられた。
【０１８４】
例７：本発明に係る潤滑組成物、比較の潤滑組成物の調製と、車両エンジンの潤滑用のこれらの組成物の性質の評価
潤滑組成物を、表５の量（ｍａｓｓ％）に従って、例１に係る油（１）及び公知の油を、他の基油と混合することによって調製した。比較の潤滑組成物（３）をまた、比較例（３）に係る比較の油（２）から調製した。
【０１８５】
【表７】
0006695853.tif 000015
【０１８６】
調製した潤滑組成物の特性を評価して、得られた結果を表６に示した。
【０１８７】
【表８】
0006695853.tif 000016
【０１８８】
技術水準のグループＩＩＩの２つの油と比較の油（２）とを含む潤滑組成物と比較して、本発明に係る油（１）を含む潤滑組成物は改善した性質を有した。
【０１８９】
測定した１００℃での動粘度はより低かった。絶対粘度（−３５℃でのＣＣＳ）はより低く、それは、本発明に係る組成物の低温挙動における改善を示した。
【０１９０】
さらに、粘度指数は極めて優れ、ノアック揮発性は大きく改善された。したがって、これらのパラメータは、本発明に係る組成物の「燃料節約」の向上を示す可能性を与えた。
【０１９１】
例８：本発明に係る潤滑組成物、比較の潤滑組成物の調製と、車両エンジンの潤滑用のこれらの組成物の性質の評価
潤滑組成物を、表７の量（ｍａｓｓ％）に従って潤滑組成物を調製するために、例１に係る油（１）及び公知の油を別の基油及び添加剤と混合することによって調製した。
【０１９２】
【表９】
0006695853.tif 000017
【０１９３】
調製した潤滑組成物の特性を評価して、得られた結果を表８に示した。
【０１９４】
【表１０】
0006695853.tif 000018
【０１９５】
技術水準のグループＩＩＩの油と、グループＩＶの油と、比較の油（２）とを含む潤滑組成物と比較して、本発明に係る油（１）を含む潤滑組成物は改善した性質、より具体的には「燃料節約」の向上を有した。
【０１９６】
粘度指数は優れていた。絶対粘度（−３５℃でのＣＣＳ）は劣っていた。
【０１９７】
酸化耐性は改善した。
【０１９８】
例９：本発明に係る潤滑組成物、比較の潤滑組成物の調製と、電動車両の変速機の潤滑用のこれらの組成物の性質の評価
潤滑組成物を、表９の量（ｍａｓｓ％）に従って潤滑組成物を調製するために、例２に係る油（２）及び公知の油を別の基油及び添加剤と混合することによって調製した。
【０１９９】
【表１１】
0006695853.tif 000019
【０２００】
調製した潤滑組成物の特性を評価して、得られた結果を表１０に示した。
【０２０１】
【表１２】
0006695853.tif 000020
【０２０２】
技術水準のグループＩＶの油と比較の油（１）とを含む潤滑組成物と比較して、本発明に係る油（２）を含む潤滑組成物は改善した性質を有した。
【０２０３】
粘度指数は極めて優れ、トラクション係数は１２％超下がった。したがって、これらのパラメータは、本発明に係る組成物の「燃料節約」の向上を示す可能性を与えた。